(57)【要約】【課題】遊技盤の盤面奥行きスペースを有効活用できるようにして遊技の興趣を高める等の弾球遊技機を提供する。【解決手段】木枠２の背後に箱状の筐体７を設け、筐体７の内壁に遊技役物２５を構成する液晶表示ユニット５３を始め、主制御基板６０、サブ制御基板６１、払出制御基板６２等の各種制御基板及び機器ユニットを取り付ける。このような構成により、遊技盤２０の盤面に設けた遊技役物２５において奥行き感を有する広い遊技空間５４が確保される。【選択図】図３
2007236789.tif 000002
【特許請求の範囲】
【請求項１】
ゲージが形成された遊技盤に遊技球を打ち出し転動落下させて遊技を行う弾球遊技機であって、
前記遊技盤の裏面に対し所定量離間して対向する筐体を設け、
前記遊技盤の一部に開口するとともに前記筐体に取り付けた遊技物を少なくとも含む遊技空間を形成したことを特徴とする弾球遊技機。
【請求項２】
前記遊技物として少なくとも画像表示装置を備えていることを特徴とする請求項１に記載の弾球遊技機。
【発明の詳細な説明】
【技術分野】
【０００１】
本発明は、遊技領域を有効活用して遊技の興趣を高めた弾球遊技機に関する。
【背景技術】
【０００２】
従来、パチンコ機に代表される弾球遊技機は、ゲージ（釘配列）や入賞口等が形成された遊技盤がプラスチック製の前枠に装着され、前枠に開閉可能に設けられたガラス枠が閉じられ遊技盤と対向することで、遊技球を転動落下させる遊技領域空間が形成されている。
【０００３】
また、前枠の背後には、遊技球を供給・集合・排出等するための複数の球通路が形成されるとともに賞球払出装置、制御装置等が装着されたプラスチック製の裏セット盤が、遊技盤の裏面側に位置して取り付けられている。そして、これらガラス枠、前枠、遊技盤、裏セット盤等が矩形縦長の外郭枠である木枠内に収容されるように組み付けられて、従来の弾球遊技機が構成されている。
【発明の開示】
【発明が解決しようとする課題】
【０００４】
しかし、上述した従来の弾球遊技機によれば、遊技盤の裏面側に球通路等が形成された裏セット盤その他機器類が取り付けられているため、遊技盤にステージ等の遊技役物を形成した場合にもその奥行き等のスペースに制約があり、遊技興趣を十分に発揮できなかった。
【０００５】
本発明は、こうした従来の問題に鑑みてなされたものであり、遊技盤の盤面奥行きスペースを有効活用できるようにして遊技の興趣を高める等の弾球遊技機を提供することを目的としている。
【課題を解決するための手段】
【０００６】
上述した課題を解決するため、請求項１に記載の発明は、ゲージが形成された遊技盤に遊技球を打ち出し転動落下させて遊技を行う弾球遊技機であって、前記遊技盤の裏面に対し所定量離間して対向する筐体を設け、前記遊技盤の一部に開口するとともに前記筐体に取り付けた遊技物を少なくとも含む遊技空間を形成したことを特徴とする。
【０００７】
請求項１に記載の弾球遊技機によれば、遊技盤の裏面側に筐体を設けるとともに当該筐体に遊技物を取り付けることで、遊技盤の盤面開口から遊技物までの奥行きを備えた遊技空間が形成される。これにより、奥行きの有る遊技空間を活用した遊技役物（ステージ等）を構成することができ、遊技興趣を高めることができる。
【０００８】
請求項２に記載の発明は、請求項１に記載の弾球遊技機であって、前記遊技物として少なくとも画像表示装置を備えていることを特徴とする。
【０００９】
請求項２に記載の弾球遊技機によれば、遊技盤から内奥の筐体に画像表示装置を備えたので、奥行きの有る遊技空間を活用するとともに視覚的な演出効果を高めることができる。
【発明の効果】
【００１０】
本発明の弾球遊技機によれば、奥行きの有る遊技空間を活用した例えばステージ等の遊技役物を構成することができ、従来にはない遊技興趣を高めた遊技を提供することができる。
【発明を実施するための最良の形態】
【００１１】
以下、本発明の好適な一実施形態として弾球遊技機の代表例であるパチンコ機をとりあげ、その構成について図面を参照しながら説明する。ここで、図１は実施形態によるパチンコ機１の外観構造を表す正面図である。図２はガラス枠４及び一体皿ユニット５を開放した状態におけるパチンコ機１の内部構造を表した図であって、主に遊技盤２０と前枠３の前面側構造を表している。更に、図３はパチンコ機１の側面図である。
【００１２】
パチンコ機１は、本体を遊技島へ固定保持するための外郭枠となる矩形縦長の木枠２と、当該木枠２に対してヒンジ部材３ａにより開閉可能に装着され、通常時には木枠２の前側の開口を閉鎖する前枠３とを備えている。前枠３の前面側には、透明な２枚のガラス板から形成されペアガラス４１０と称される透明板が取り付けられたガラス枠４と、硬質プラスチックで受皿部５ａ等が一体形成された一体皿ユニット５が開閉可能に装着されている。
【００１３】
なお、前枠３内には、前枠３を木枠２側へ閉めることで自動的に施錠し、且つ、一体皿ユニット５とともにガラス枠４を前枠３側へ閉めることでも自動的に施錠する図示しない施錠装置が設けられ、前枠３の前面右方部に形成されている鍵穴６に所定の鍵を挿入して開錠操作をすることにより、これらを開放することができるようになっている。
【００１４】
また、前枠３の前面であってガラス枠４の裏面部分と対向する一カ所にガラス枠開放スイッチ４２が設けられている。ガラス枠開放スイッチ４２は、ガラス枠４が前枠３に対して閉鎖されると押圧された状態でオフ動作し、ガラス枠４が開放されるとオン動作することで、ガラス枠４の閉鎖及び開放状態を検知する。
【００１５】
はじめに、図１及び図２を参照して、パチンコ機１の前面側構造を詳細に説明する。
【００１６】
ガラス枠４の前面上部には、高輝度の発光ダイオード等のランプ類を内蔵する演出用照明部４ａ、４ｂ、４ｃが配設されている。なお、これらの効果ランプは、例えばガラス枠４の開放エラー等を光で報知するための報知ランプとしても機能する。
【００１７】
ガラス枠４の下方に設けられる一体皿ユニット５には、払い出された遊技球（賞球や貸球）を貯留して整列させる受皿部５ａが形成されている。一体皿ユニット５の前面下方部には、パチンコ機１のゲームに係る効果音又は遊技の進行を音声で案内するためのスピーカ９を備える演出用放音部５ｂが配設されている。
【００１８】
また、一体皿ユニット５の前面略中央には、受皿部５ａに貯留されている遊技球を一体皿ユニット５底部の球排出口５ｅから下方の球箱（ドル箱）等へ排出させる球抜きボタン５ｃ、５ｄが設けられている。なお、左側の球抜きボタン５ｃは、受皿部５ａ上の遊技球を球発射装置５０付近から排出させ、右側の球抜きボタン５ｄは、受皿部５ａの遊技球を賞球払出口２７付近から下方へ排出させる。
【００１９】
一体皿ユニット５の前面右下方部には、受皿部５ａに貯留された遊技球を遊技盤２０へ向けて打ち出す操作をするための発射ハンドル８が配設されている。発射ハンドル８は、内蔵するバネによって反時計回りに常時付勢される回動操作部８ａを有し、遊技者が回動操作部８ａに触れながら付勢力に抗して回動操作部８ａを時計回りに回動操作すると、球発射装置５０が作動して回動操作部８ａの回動角度に応じた打撃力で遊技球が遊技盤２０に打ち出されるようになっている。
【００２０】
前枠３は、硬質プラスチックから一体形成され、木枠２と略同一寸法の基枠体３０を有するとともにガラス枠４と対向する基枠体３０の略中央には、遊技盤２０を着脱可能に収容するための開口する遊技盤収容部３１が形成されている。
【００２１】
なお、基枠体３０の前面側には回転ロック部材３０１が複数個、適宜の位置に配置されている。遊技盤２０は、各回転ロック部材３０１と対応する位置に形成された係止孔２０ａに当該回転ロック部材３０１を挿通させて９０度回転させることで、基枠体３０の遊技盤収容部３１に保持される。そして、ガラス枠４が前枠３側へ閉じられた状態では、ガラス枠４に取り付けられている透明なペアガラス４１０が遊技盤２０の盤面に対して所定の間隔で対向し、これら対向配置されたペアガラス４１０と盤面とにより、遊技球を落下移動させる遊技領域空間が画成される。
【００２２】
遊技盤２０は、所定板厚の積層合板の表面に絵柄が描かれたセルが貼り付けられて盤面が形成され、その左側（ガラス枠４がヒンジ結合する側）周部に、ステンレス鋼板等からなる帯状の外レール７１が取り付けられている。また、外レール７１より内側に形成される発射路を挟むように、所定長さの内レール７２が外レール７１に沿って遊技盤２０の盤面に突出して設けられている。そして、内レール７２よりも更に内側の盤面領域がパチンコ遊技の遊技領域となっている。
【００２３】
この遊技領域として画される遊技盤２０の盤面には、複数の釘が所定の配列パターンで打設されたゲージが形成されており、遊技盤２０へ発射された遊技球が複数の釘に衝突しながら偶発的にその方向を変えて遊技領域空間内を落下するように構成されている。
【００２４】
また、遊技盤２０の盤面には、入賞口に遊技球が入球することで入賞となる複数のチャッカー２１と、同じく入賞口に入球することで大当たり等の特別遊技状態への抽選を起動させる始動チャッカー２２と、特別遊技状態において一定時間又は一定数の遊技球が入球するまで開放し遊技球が入ると通常よりも多くの賞球を払い出すアタッカー２３等の入賞役物が適宜の位置に配置されている。
【００２５】
チャッカー２１の入賞口には、入球した遊技球を検出する入賞球センサが取り付けられている。この入賞球センサは、例えば、磁気的、光学的、電気的手段等により遊技球の通過を非接触に検出する近接センサから形成される。
【００２６】
始動チャッカー２２は、いわゆる電動チューリップ構成の入賞役物であり、左右の羽部材を開閉させることで、ここへの入賞の確率を変動させることができるように構成されている。なお、この始動チャッカー２２の入賞口内にも上述したチャッカー２１と同様の入賞球センサ（始動口入賞球センサ）が設けられ、始動チャッカー２２への入球が検出されると、パチンコ機１の後述する主制御基板６０は、例えばアタッカー２３を開いて大当たり（確変当たり）等の通常よりも有利な条件でゲームができる特別遊技状態へ移行する抽選を行う。
【００２７】
遊技盤２０の盤面略中央は大きく開口して奥の液晶表示ユニット５３を透視可能とするとともに、例えばステージ役物を構成する遊技役物２５が設けられている。このステージ２５ａは、後述する本パチンコ機１の筐体構造により従来よりも奥行きが長く、広い遊技空間を備えて形成されている。
【００２８】
また、上述の抽選結果は、液晶表示ユニット５３によって表示され、例えば特定の図柄を揃えて表示することで大当たり等の特別遊技状態への当選を演出する。
【００２９】
アタッカー２３は、中央に横長方形状の開口からなる大入賞口を有し、この大入賞口をソレノイド（大入賞口ソレノイド）により開閉可能とする開閉扉が取り付けられている。通常遊技状態においてはこの開閉扉は閉じられ、上述の始動チャッカー２２への入球の際に行われる抽選の結果、大当たり等の特別遊技状態が成立したときに開閉扉が前方に倒され開放する。
【００３０】
なお、アタッカー２３の大入賞口へ遊技球が落入することにより、他の入賞役物よりも多くの遊技球が払い出される。このため、特別遊技状態においては、遊技者は通常よりも高い入賞確率でゲームを行うことができる。なお、大入賞口内には、左右に二つの入賞口が設けられ、いずれか一方の入賞口が特別領域を形成し、例えば大当たり当選時には、この特別領域の入賞口へ遊技球が落入する限り継続して予定される最大回数まで特別遊技状態を続けることができる。なお、アタッカー２３のそれぞれの入賞口においても、チャッカー２１と同様の近接センサからなる入賞球センサ及び特定領域入賞球センサが設けられている。
【００３１】
遊技盤２０の盤面下方部には、何れの入賞口に入球せずに落下したアウト球を集合して排出させるアウト口２４が設けられている。
【００３２】
次に、基枠体３０の下方部には遊技補助盤３０ａが取り付けられている。この遊技補助盤３０ａの右上方部には、前面に開口する賞球払出口２７が形成され、当該賞球払出口２７に向けて底面が緩やかな下り勾配を有する貯球タンク２６が遊技補助盤３０ａの内側奥に収容されて取り付けられている。遊技において入賞時に払い出される賞球、又は貸し出し操作によって貸し出される貸球は、この貯球タンク２６を通って賞球払出口２７から受皿部５ａへ払い出される。また、ファール球その他のこぼれ球が貯球タンク２６で回収されて受皿部５ａへ戻されるように構成されている。
【００３３】
また、遊技補助盤３０ａの左方部には球発射装置５０が設けられている。球発射装置５０は、発射ハンドル８の回動操作に応じて、一体皿ユニット５の受皿部５ａに貯留されている遊技球を１球ずつ遊技盤２０の遊技領域上部へ打ち出す装置である。
【００３４】
球発射装置５０は、打撃ハンマ５０２のアームが球発射ソレノイド５０１に連結しており、球発射ソレノイド５０１を駆動することで、打撃ハンマ５０２の槌部が回動して遊技球を打撃し発射させる。
【００３５】
また、遊技補助盤３０ａには、球発射装置５０により発射された遊技球を遊技盤２０へ案内する発射レール５０３や、楽音や案内音声等の演出効果音を発生するスピーカ９等が取り付けられている。なお、遊技補助盤３０ａは、一体皿ユニット５の裏側に位置し、常時は閉鎖状態に保持される一体皿ユニット５によりその表面側が覆われている。
【００３６】
次に、主に図３を参照して、パチンコ機１の側面及び裏面側の構造を説明する。
【００３７】
上述した木枠２の背後には、パチンコ機１の裏面側の構造物全体を覆う矩形状の箱体である筐体７が取り付けられている。
【００３８】
筐体７内に収容される遊技盤２０の裏面には裏カバー２０ｂが固定され、各入賞口２１ａ、２３ａへ落入した遊技球が、遊技盤２０の裏面と当該裏カバーとの間に形成される球集合排出通路１０６を通って落下する。また、アウト口２４に連通するアウト孔２４ａから排出されたアウト球が球集合排出通路１０６で合流し、これら遊技済み球が下方の図示しない球回収タンクへと回収されるようになっている。
【００３９】
筐体７の内壁には、パチンコ機１の上方に設備される図示しない球供給装置から予備の遊技球が供給されこれを貯留するための予備球タンク５１が取り付けられている。また、筐体７には、予備球タンク５１に貯留された遊技球を予備球通路１０３を介して受容し、賞球若しくは貸球として受皿部５ａへ払い出す賞球払出装置５２が取り付けられている。
【００４０】
なお、賞球払出装置５２は、球払出モータ等を内蔵し、同じく筐体７の内壁に取り付けられた払出制御基板６２から出力される払出指令信号に従って球払出モータが所定の回転方向に作動すると、当該払出指令信号に基づく個数の遊技球（賞球又は貸球）を受皿部５ａへ至る図示しない賞球通路へ払い出し、払出制御基板６２から球抜きの指令信号を入力すると、球払出モータが逆の回転方向に作動して、予備球通路１０３内の遊技球を全て機外へ排出させるようになっている。
【００４１】
また、筐体７の内壁には、上述した払出制御基板６２の他にも、パチンコ機１の全体動作を制御する主制御基板６０と、遊技役物２５の画像表示装置としての液晶表示ユニット５３と、液晶表示ユニット５３に演出画像を表示制御等するためのサブ制御基板６１と、電源装置ユニット６３等の各種制御基板及び機器ユニットが取り付けられている。
【００４２】
なお、図３に示されるように、遊技役物２５を構成し筐体７の内壁に取り付けられた液晶表示ユニット５３は、遊技盤２０の開口部の最奥に位置し、これにより、広いステージ２５ａを備える奥行きのある遊技空間５４が形成されている。
【００４３】
これらパチンコ機１に設けられる制御基板によって制御される各種機器の動作について次に説明する。
【００４４】
主制御基板６０は、演算装置としてのＣＰＵと半導体メモリであるＲＯＭ、及びＲＡＭ等の電子部品が搭載されており、ＲＯＭに予め記憶されているシステムプログラムに従ってＣＰＵが入賞役及び演出の抽選等の演算処理を実行してパチンコ遊技が展開される。また、主制御基板６０には、サブ制御基板６１と、払出制御基板６２等の各制御基板がワイヤーハーネスで接続され、これら制御基板へ指令信号を送信して各制御基板に分散制御を行わせることによりパチンコ機１全体を統括制御している。
【００４５】
ここで、サブ制御基板６１は、主制御基板６０からの演出制御信号に従い、ゲームの進行に応じて液晶表示ユニット５３に図柄等の画像を表示させる制御と、スピーカ９に対して演出効果音を鳴動させる制御と、演出用照明部４ａ、４ｂ、４ｃ等のランプ類を点灯・点滅させる制御等を行っている。
【００４６】
また、主制御基板６０には、チャッカー２１及び始動チャッカー２２等に設けられている入賞球センサが接続され、主制御基板６０のＣＰＵがこれらの作動を検出すると、所定数の賞球を払い出すべき旨の指令信号を払出制御基板６２へ送出する。また、主制御基板６０は、始動チャッカー２２の始動口入賞球センサの作動を検知すると、ハードウエア抽選回路を起動して入賞役の抽選を行う。このとき、主制御基板６０は、サブ制御基板６１に対し演出制御信号を送出することで、液晶表示ユニット５３に複数図柄を変動表示させたり、演出用放音部５ｂのスピーカ９に入賞に係る効果音を発生させたり、演出用照明部４ａ、４ｂ、４ｃを点灯又は点滅等させることで、入賞への期待を高める演出を行っている。
【００４７】
なお、大当たり等の入賞役が当選すると、主制御基板６０は特別遊技状態へ遊技の処理を移行させ、大入賞口ソレノイドを作動し一定の要件下においてアタッカー２３の開閉扉を開放させる。これにより、特別遊技状態ではアタッカー２３への入球が可能となり、主制御基板６０は、アタッカー２３内に設けられている入賞球センサ又は特定領域入賞球センサが入賞口への入球を検出する毎に、所定数の賞球を払い出すべき旨の指令信号を払出制御基板６２へ送出する。
【００４８】
払出制御基板６２には、賞球払出装置５２の球払出モータと、カウントセンサとが接続されている。払出制御基板６２は、主制御基板６０から所定数の賞球を払い出すべき旨の指令信号を受信すると、賞球払出装置５２の球払出モータを作動して、実際に払い出された賞球をカウントセンサがカウントしながら所定数の賞球の払い出しを行っている。
【００４９】
更に、払出制御基板６２は、予備球タンク５１に設けられるタンク球切れスイッチからの球切れ検出信号を入力し、予備球タンク５１内の球切れ状態が所定時間以上継続しているときには、賞球払出装置５２の作動を停止するように制御している。
【００５０】
球発射装置５０の下方部に設けられている発射制御基板６６は、発射ハンドル８の操作に応じて球発射装置５０の動作を制御する制御基板であり、発射ハンドル８に内蔵されるタッチセンサと、ポテンショメータと、停止スイッチと、球発射装置５０の球発射ソレノイド５０１等が接続されている。
【００５１】
発射ハンドル８に設けられるタッチセンサは、例えば静電容量型のセンサから形成され、遊技者等が発射ハンドル８の回動操作部８ａを触れている間、検出信号（オン信号）を発射制御基板６６へ送出する。ポテンショメータは、回動操作部８ａが回動操作された回転角度に応じて電気抵抗が変化する。このため、例えば一定の電流をポテンショメータに供給することで、発射ハンドル８の回動操作量に応じた電圧信号を発射制御基板６６は得ることができる。停止スイッチは、遊技球の打ち出しを停止させるために発射ハンドル８に設けられた押圧式のスイッチである。
【００５２】
発射制御基板６６は、遊技者等が発射ハンドル８に触れタッチセンサがこれを検出している間、ポテンショメータにより検出される回動操作部８ａの回動角度に応じたトルクで球発射装置５０の球発射ソレノイド５０１を作動させる。これにより、発射ハンドル８の回動操作量に応じた打撃力で遊技球を遊技盤２０へ打ち出す。
【００５３】
また、発射制御基板６６は、発射ハンドル８の停止スイッチの作動を検出すると、その間は遊技者等が発射ハンドル８に触れていても球発射ソレノイド５０１の作動を規制する。また、発射制御基板６６は、払出制御基板６２に接続される受皿満タンスイッチが、受皿部５ａに保持される遊技球の満杯状態を検知した場合も、球発射装置５０の作動を規制してゲームを中断させる。
【００５４】
本実施形態のパチンコ機１によれば、木枠２の背後にパチンコ機１の裏面側の構造物全体を覆う筐体７を設け、更に筐体７の内壁には、遊技役物２５を構成する液晶表示ユニット５３を始め、主制御基板６０、サブ制御基板６１、払出制御基板６２、発射制御基板６６等の制御基板、賞球払出装置５２、電源装置ユニット６３等の主要な機器ユニットを取り付けた。
【００５５】
このような構成により、遊技盤２０の盤面に設けた遊技役物２５において例えばステージ２５ａに奥行きを有する広い遊技空間５４を確保することができ、従来にはない興趣を伴ったパチンコゲームを提供することができる。
【図面の簡単な説明】
【００５６】
【図１】本発明の一実施形態によるパチンコ機の外観構造を表した正面図である。
【図２】図１に示したパチンコ機のガラス枠及び一体皿ユニットを開放した状態において内部構造を表した図である。
【図３】図１に示したパチンコ機の側面図である。
【符号の説明】
【００５７】
１…パチンコ機                              ２…木枠
３…前枠                                    ３ａ…ヒンジ部材
４…ガラス枠                                ４ａ、４ｂ、４ｃ…演出用照明部
５…一体皿ユニット                          ５ａ…受皿部
５ｂ…演出用放音部                          ５ｃ、５ｄ…球抜きボタン
５ｅ…球排出口                              ６…鍵穴
８…発射ハンドル                            ８ａ…回動操作部
９…スピーカ                                １０…裏セット盤
２０…遊技盤                                ２０ａ…係止孔
２１…チャッカー                            ２２…始動チャッカー
２３…アタッカー                            ２４…アウト口
２５…遊技役物                              ２５ａ…ステージ
２６…貯留タンク                            ３０…基枠体
３０ａ…遊技補助盤                          ３１…遊技盤収容部
５０…球発射装置                            ５１…予備球タンク
５２…賞球払出装置                          ５３…液晶表示ユニット
５４…遊技空間                              ６０…主制御基板
６１…サブ制御基板                          ６２…払出制御基板
６３…電源装置ユニット                      ６４…遊技盤中継基板
６６…発射制御基板                          ７１…外レール
７２…内レール                              １０３…予備球通路
１０６…球集合排出通路                      ３０１…回転ロック部材
４１０…ペアガラス                          ５０１…球発射ソレノイド
５０２…打撃ハンマ                          ５０３…発射レール
【図１】
2007236789.tif 000003
【図２】
2007236789.tif 000004
【図３】
2007236789.tif 000005